Podtech/llm-jp-corpus-v4-ja_patent huggingface dataset:
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
人を含む動物の胎児を包む生羊膜を乾燥処理して得た乾燥羊膜が、無菌状態の乾燥大気中で保存できるように脱水乾燥されており、かつ水又は緩衝液に浸漬して再水和した羊膜には、前記生羊膜を構成する上皮細胞、基底膜、及び結合組織が保持されていることを特徴とする乾燥羊膜からなる眼表面再建用医療材料。
【請求項２】
人を含む動物の胎児を包む生羊膜を乾燥処理して得た乾燥羊膜が、無菌状態の乾燥大気中で保存できるように脱水乾燥されており、かつ水又は緩衝液に浸漬して再水和した羊膜には、前記生羊膜を構成する上皮細胞、基底膜、及び結合組織が保持されていることを特徴とする乾燥羊膜の眼表面を再建するための医療材料としての使用。
【請求項３】
人を含む動物の胎児を包む生羊膜を乾燥処理して得た乾燥羊膜が、無菌状態の乾燥大気中で保存できるように脱水乾燥されており、かつ水又は緩衝液に浸漬して再水和した羊膜には、前記生羊膜を構成する上皮細胞、基底膜、及び結合組織が保持されていることを特徴とする乾燥羊膜を医療材料としての使用する眼表面の再建方法。
【手続補正２】
【補正対象書類名】明細書
【補正対象項目名】０００５
【補正方法】変更
【補正の内容】
【０００５】
本発明は、人を含む動物の胎児を包む生羊膜を乾燥処理して得た乾燥羊膜が、無菌状態の乾燥大気中で保存できるように脱水乾燥されていると共に、前記乾燥羊膜を水又は緩衝液に浸漬して再水和した羊膜には、前記生羊膜を構成する上皮細胞、基底膜及び結合組織が保持されていることを特徴とする乾燥羊膜からなる眼疾患治療用医療材料、該乾燥羊膜の眼疾患治療用医療材料としての使用方法及び該乾燥羊膜を利用した眼疾患の治療方法を提供する。
【手続補正３】
【補正対象書類名】明細書
【補正対象項目名】００２０
【補正方法】変更
【補正の内容】
【００２０】
【図１】生羊膜の乾燥に用いる乾燥装置の一例の概略を示す概略図である。
【図２】得られた乾燥羊膜の表面の走査電子顕微鏡写真を示す。
【図３】乾燥羊膜をリン酸緩衝液に浸漬して再水和した羊膜（ａ）、生羊膜（ｄ）及び採取した生羊膜をそのまま凍結乾燥したものをリン酸緩衝液に浸漬して再水和した羊膜（ｃ）の光学顕微鏡写真を示す。
【手続補正書】
【提出日】平成21年7月9日(2009.7.9)
【手続補正１】
【補正対象書類名】明細書
【補正対象項目名】００３６
【補正方法】変更
【補正の内容】
【００３６】
基布３１及び脚受け部３８の外縁には補強帯３２が縫着されており、基布３１の下部矩形状の両上部角及び脚受け部３８の両下端では補強帯３２が基布のないところまで延伸されストラップ３３、３４が形成されている。
【手続補正２】
【補正対象書類名】明細書
【補正対象項目名】００４２
【補正方法】変更
【補正の内容】
【００４２】
枕３６が要介護者の体躯に合わせ要介護者の後頭部に当接して要介護者の頭部及び頚椎を保持できるよう、枕３６をスリングシート３０の裏面側に折り返して枕３６に基布３１の基布を巻き付けて枕３６の位置を調節している。
【手続補正３】
【補正対象書類名】明細書
【補正対象項目名】００４４
【補正方法】変更
【補正の内容】
【００４４】
本実施例２によっても、実施例１と同様の効果（ａ）〜（ｅ）が得られる。各効果において実施例１と異なるのは、（ｃ）ではバックル４３によって首部調節帯４１の長さを調節する点、（ｄ）では調節できる梯子状のストラップ３３、３４を用いる点、（ｅ）では首部調節帯４１の一端に形成されている輪を縛りこんで首部調節帯４１を梯子状のストラップ３３、３４に結着する点である。さらに、本実施例２によれば、次の効果（ｇ）が得られる。
（ｇ）脚受け部３８の両下端から延伸しているストラップ３４を要介護者の前方で互いに交差するようにして左右反対側の介護用リフト９０の掛止部９１に引っ掛けることで、要介護者が吊り上げ中にスリングシート３０から脱落するのを防止できる。
【手続補正４】
【補正対象書類名】図面
【補正対象項目名】図１
【補正方法】変更
【補正の内容】
【図１】
2008036100.tif 000001
【手続補正５】
【補正対象書類名】図面
【補正対象項目名】図２
【補正方法】変更
【補正の内容】
【図２】
2008036100.tif 000002
【手続補正書】
【提出日】平成21年7月15日(2009.7.15)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報の変動表示を行なって表示結果を導出表示する変動表示装置を備え、該変動表示装置における前記識別情報の変動表示の表示結果が予め定められた特定表示結果となったときに、遊技者にとって有利な特定遊技状態に制御される遊技機であって、
日時を特定可能とする計時を行なう計時手段と、
該計時手段の計時により特定される日時が第１の日時となったか否かを判定する第１判定手段と、
該第１判定手段により前記計時手段の計時により特定される日時が前記第１の日時と一致したと判定されたことに基づいて、前記変動表示装置における表示態様を変更する表示態様変更手段と、
前記第１の日時よりも所定期間前の日時である第２の日時を特定する所定期間前特定手段と、
前記計時手段の計時により特定される日時が前記第２の日時となったか否かを判定する第２判定手段と、
該第２判定手段により前記計時手段の計時により特定される日時が前記第２の日時と一致したと判定されたことに基づいて、前記第１の日時に表示態様が変更されることを特定可能に報知する予告演出を行なう予告手段とを含むことを特徴とする、遊技機。
【請求項２】
前記遊技機が稼動を開始したか否かを判定する稼動開始判定手段と、
該稼動開始判定手段により稼動を開始したと判定された稼動開始日時を記憶する記憶手段と、
遊技の進行を制御し、前記変動表示装置を含む演出装置を制御するためのコマンドを送信する遊技制御手段と、
該遊技制御手段から送信された前記コマンドに基づいて前記演出装置の制御を行なう演出制御手段とをさらに備え、
前記計時手段と、前記記憶手段とは、前記演出制御手段に搭載され、
前記第１判定手段は、前記記憶手段に記憶された稼動開始日時を基準として前記計時手段の計時により特定される日時が前記第１の日時か否かを判定することを特徴とする、請求項１に記載の遊技機。
【請求項３】
前記遊技機が稼動を開始したか否かを判定する稼動開始判定手段と、
該稼動開始判定手段により稼動を開始したと判定された稼動開始日時を記憶する記憶手段と、
遊技の進行を制御し、遊技に伴って音を出力する音出力手段と、遊技に伴って光を発する発光手段と、前記変動表示装置とを含む演出装置を制御するためのコマンドを送信する遊技制御手段と、
該遊技制御手段から送信された前記コマンドに基づいて前記演出装置の制御を行なう演出制御手段とをさらに備え、
該演出制御手段は、
前記コマンドを受信し、受信したコマンドに応じて、前記音出力手段と前記発光手段との少なくとも一方を制御する第１演出制御手段と、
該第１演出制御手段に受信されたコマンドに応じて当該第１演出制御手段から出力される情報に基づいて前記変動表示装置を制御する第２演出制御手段とを含み、
前記計時手段と、前記記憶手段とのそれぞれは、前記第１演出制御手段および前記第２演出手段のうちの一方に搭載され、
前記第１判定手段は、前記記憶手段に記憶された稼動開始日時を基準として前記計時手段の計時により特定される日時が前記第１の日時か否かを判定することを特徴とする、請求項１に記載の遊技機。
【請求項４】
前記稼動開始判定手段は、前記遊技制御手段から前記演出制御手段に送信される前記コマンドに基づいて、遊技機が稼動を開始したか否かを判定することを特徴とする、請求項２または３に記載の遊技機。
【請求項５】
前記計時手段の計時により特定される日時が第３の日時となったか否かを判定する第３判定手段をさらに含み、
前記演出制御手段は、一の状況に対して複数の演出種類を有し、該複数の演出種類からいずれかの演出種類を選択する演出種類選択手段を含み、
該演出種類選択手段は、前記第３判定手段により、前記計時手段の計時により特定される日時が、前記第３の日時となっていないと判定されたときは、前記複数の演出種類のうち一部から演出種類を選択し、前記第３の日時となったと判定された後は、前記複数の演出種類のうち全部から演出種類を選択することを特徴とする、請求項２から４のいずれかに記載の遊技機。
【請求項６】
遊技者による演出種類を選択する指示を受付ける選択受付手段をさらに含み、
前記演出種類選択手段は、前記選択受付手段が受付けた指示に応じて、前記複数の演出種類のうちからいずれかの演出種類を選択することを特徴とする、請求項５に記載の遊技機。
【手続補正２】
【補正対象書類名】明細書
【補正対象項目名】００１６
【補正方法】変更
【補正の内容】
【００１６】
（６）  遊技者による演出種類を選択する指示を受付ける選択受付手段（図６、図２７、図２８の選択ボタン３５８）をさらに含み、
前記演出種類選択手段は、前記選択受付手段が受付けた指示に応じて、前記複数の演出種類のうちからいずれかの演出種類を選択する（図２４のＳ３３６２，Ｓ３３６３）。
【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
遊技機前面部を構成し、遊技機前方に開放動作可能に設けられた遊技機前面体を備え、
遊技に関する内部状態を可変設定する設定変更機能を具備し、所定の設定操作に伴い前記内部状態の設定変更が行われる遊技機において、
操作部に対する所定の有効化操作により前記設定操作を有効化する設定有効化装置と、
前記有効化操作を阻止するべく前記操作部に対して設けた操作阻止部材とを備え、
前記遊技機前面体が閉鎖状態にある場合に前記操作阻止部材により前記有効化操作を阻止する状態を保持し、前記遊技機前面体の開放動作に伴い前記操作阻止部材による前記有効化操作の阻止状態を解除可能とする状態保持手段を設けたことを特徴とする遊技機。
【請求項２】
前記遊技機前面体に対して分離可能となる本体部を備え、前記本体部に前記設定有効化装置を設けた遊技機であって、
前記遊技機前面体を前記本体部に一体化することで同遊技機前面体を閉鎖状態とする一方、前記遊技機前面体を前記本体部から分離させることで同遊技機前面体を遊技機前方に開放させるようにし、その開放動作に伴い前記操作阻止部材による前記有効化操作の阻止状態を解除可能とすることを特徴とする請求項１に記載の遊技機。
【請求項３】
前記状態保持手段を、前記遊技機前面体において当該遊技機前面体の閉鎖状態で前記操作阻止部材と対向する位置に設けたことを特徴とする請求項１又は２に記載の遊技機。
【請求項４】
前記状態保持手段は、前記遊技機前面体を閉鎖状態とした場合に前記操作阻止部材の移動を規制するべく同操作阻止部材を押圧保持するものであることを特徴とする請求項３に記載の遊技機。
【請求項５】
前記状態保持手段は、前記遊技機前面体を閉鎖状態とした場合に前記操作阻止部材の移動を規制するべく前記操作阻止部材を係合保持するものであることを特徴とする請求項３に記載の遊技機。
【請求項６】
前記状態保持手段を、前記遊技機前面体において当該遊技機前面体の閉鎖状態で前記操作阻止部材の移動の支障となる位置に設けたことを特徴とする請求項１又は２に記載の遊技機。
【請求項７】
前記状態保持手段により前記有効化操作の阻止状態を保持する状態を、前記遊技機前面体が閉鎖された状態から所定の開放状態となるまで有効とすることを特徴とする請求項１乃至６のいずれか一項に記載の遊技機。
【請求項８】
前記状態保持手段は、前記操作阻止部材に当接する押圧片と、前記操作阻止部材の当接方向に前記押圧片を付勢する付勢手段とを有してなることを特徴とする請求項７に記載の遊技機。
【請求項９】
前記遊技機前面体が、回動可能に軸支されるとともに軸支部を中心に回動可能とされる遊技機において、
前記押圧片は前記操作阻止部材に面当たりし、かつその面当たり部位が揺動可能であることを特徴とする請求項８に記載の遊技機。
【請求項１０】
遊技機前面部を構成し、遊技機前方に開放動作可能に設けられた遊技機前面体を備え、
遊技に関する内部状態を可変設定する設定変更機能を具備し、所定の設定操作に伴い前記内部状態の設定変更が行われる遊技機において、
操作部に対する所定の有効化操作により前記設定操作を有効化する設定有効化装置と、
前記遊技機前面体が閉鎖状態にある場合に前記有効化操作を阻止するとともに、前記遊技機前面体の開放動作に伴い前記有効化操作の阻止状態を解除する操作阻止部材を設けたことを特徴とする遊技機。
【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
先端部に撮像手段が設けられ、外表面に螺旋構造体が形成された挿入部と、
該挿入部を長軸回りに回転させる回転駆動装置と、
上記挿入部が挿通自在で、湾曲部が配設された可撓チューブを備えた回転自走式内視鏡挿入補助具と、
上記可撓チューブの先端に着脱自在で、上記挿入部の上記螺旋構造体を圧接して保持すると共に、推進力を発生させる推進力発生部材と、
を具備することを特徴とする回転自走式内視鏡システム。
【請求項２】
先端部に撮像手段が設けられ、外表面に螺旋構造体が形成された挿入部と、
該挿入部を長軸回りに回転させる回転駆動装置と、
上記挿入部が挿通自在で、湾曲部が配設された可撓チューブを備えた回転自走式内視鏡挿入補助具と、
を具備することを特徴とする回転自走式内視鏡システム。
【請求項３】
さらに、上記挿入部を被覆して、上記挿入部と共に上記可撓チューブに挿通する保護部材を備えたことを特徴とする請求項１、又は請求項２に記載の回転自走式内視鏡システム。
【請求項４】
上記保護部材は、上記可撓チューブに挿通した状態において、上記湾曲部内に到達しない長さを有していることを特徴とする請求項３に記載の回転自走式内視鏡システム。
【請求項５】
少なくとも２方向へ湾曲自在な湾曲部を備え、回転自走式内視鏡の挿入部が挿通自在な可撓チューブと、
上記湾曲部を操作する操作部と、
を具備することを特徴とする回転自走式内視鏡挿入補助具。
【手続補正２】
【補正対象書類名】明細書
【補正対象項目名】００１０
【補正方法】変更
【補正の内容】
【００１０】
そこで、本発明の目的とするところは、上述した事情に鑑みてなされたもので、回転して推進自走する柔軟な挿入部の体腔の空間、及び管腔内の弁の通過を容易に行え、特に小腸への挿入性の優れた回転自走式内視鏡システム、及び回転自走式内視鏡挿入補助具を提供することにある。
【手続補正３】
【補正対象書類名】明細書
【補正対象項目名】００１１
【補正方法】変更
【補正の内容】
【００１１】
上記目的を達成すべく、本発明の回転自走式内視鏡システムは、先端部に撮像手段が設けられ、外表面に螺旋構造体が形成された挿入部と、該挿入部を長軸回りに回転させる回転駆動装置と、上記挿入部が挿通自在で、湾曲部が配設された可撓チューブを備えた回転自走式内視鏡挿入補助具と、上記可撓チューブの先端に着脱自在で、上記挿入部の上記螺旋構造体を圧接して保持すると共に、推進力を発生させる推進力発生部材と、を具備することを特徴とする。
【手続補正４】
【補正対象書類名】明細書
【補正対象項目名】００１２
【補正方法】変更
【補正の内容】
【００１２】
本発明の回転自走式内視鏡システムは、先端部に撮像手段が設けられ、外表面に螺旋構造体が形成された挿入部と、該挿入部を長軸回りに回転させる回転駆動装置と、上記挿入部が挿通自在で、湾曲部が配設された可撓チューブを備えた回転自走式内視鏡挿入補助具と、を具備することを特徴とする。
また、本発明の回転自走式内視鏡挿入補助具は、少なくとも２方向へ湾曲自在な湾曲部と、該湾曲部に連設され、回転自走式内視鏡の挿入部が挿通自在な可撓性を備えた可撓チューブと、上記湾曲部を湾曲操作する操作部と、を具備することを特徴とする。
【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
洗浄、清掃、研削、塗布等に使用される各種加工ブラシに用いられるブラシ用毛材において、前記ブラシ用毛材は、長尺の繊維束を蛇行状に折曲させて仮止め糸により帯状に連ねた帯板状体を有し、該帯板状体の長手方向には１本又は複数本の芯線が挟み込まれて保持されており、該芯線は少なくとも、断面視上の２つの接地点、あるいは１つの接地面を有する多面体の芯線であることを特徴とするブラシ用毛材。
【請求項２】
芯線は帯板状体の短手方向の略中央部に仮止め糸によって保持されていることを特徴とする請求項１に記載のブラシ用毛材。
【請求項３】
芯線は帯板状体の短手方向の端部に仮止め糸によって保持されていることを特徴とする請求項１又は２に記載のブラシ用毛材。
【手続補正２】
【補正対象書類名】明細書
【補正対象項目名】０００６
【補正方法】変更
【補正の内容】
【０００６】
請求項１の発明は、洗浄、清掃、研削、塗布等に使用される各種加工ブラシに用いられるブラシ用毛材において、前記ブラシ用毛材は、長尺の繊維束を蛇行状に折曲させて仮止め糸により帯状に連ねた帯板状体を有し、該帯板状体の長手方向には１本又は複数本の芯線が挟み込まれて保持されており、該芯線は少なくとも、断面視上の２つの接地点、あるいは１つの接地面を有する多面体の芯線であることに特徴を有する。したがって、各種加工ブラシの軸に直接的に芯線を固定することができるので、チャンネルブラシにおいて帯状体をかしめる作業を省略することができる。
【手続補正３】
【補正対象書類名】明細書
【補正対象項目名】０００７
【補正方法】変更
【補正の内容】
【０００７】
請求項２の発明は、請求項１の発明において、芯線は帯板状体の短手方向の略中央部に仮止め糸によって保持されていることに特徴を有する。したがって、芯線の両側の帯板状体を折り曲げ、芯線をブラシの軸に固定することによって容易にチャンネルブラシを製造することができる。
【手続補正４】
【補正対象書類名】明細書
【補正対象項目名】０００８
【補正方法】変更
【補正の内容】
【０００８】
請求項３の発明は、請求項１又は２の発明において、芯線は帯板状体の短手方向の端部に仮止め糸によって保持されていることに特徴を有する。したがって、芯線が保持されている端部をコ字状の帯状体で挟みつけ、他方の端部の長手方向を切断し、芯線をブラシの軸に固定することによって容易にチャンネルブラシを製造することができる。
【手続補正５】
【補正対象書類名】明細書
【補正対象項目名】０００９
【補正方法】変更
【補正の内容】
【０００９】
請求項１の発明では、各種加工ブラシに用いられるブラシ用毛材において、予め芯線をブラシ用毛材に挟み込み、少なくとも、断面視上の２つの接地点、あるいは１つの接地面を有する多面体の芯線を直接ブラシの軸に固定することによって、製造コストを低減することができる。
また、請求項２及び３の発明では、芯線をブラシ用毛材の短手方向の中央部又は端部で保持させることによって、チャンネルブラシの製造が容易となり、さらに製造コストを低減することができる。
【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
洗浄、清掃、研削、塗布等に使用される各種加工ブラシに用いられるブラシ用毛材において、前記ブラシ用毛材は、長尺の繊維束を蛇行状に折曲させて仮止め糸により帯状に連ねた帯板状体を有し、該帯板状体の長手方向には１本又は複数本の芯線が挟み込まれて保持されていることを特徴とするブラシ用毛材。
【請求項２】
芯線は帯板状体の短手方向の略中央部に仮止め糸によって保持されていることを特徴とする請求項１に記載のブラシ用毛材。
【請求項３】
芯線は帯板状体の短手方向の端部に仮止め糸によって保持されていることを特徴とする請求項１又は２に記載のブラシ用毛材。
【手続補正２】
【補正対象書類名】明細書
【補正対象項目名】０００６
【補正方法】変更
【補正の内容】
【０００６】
請求項１の発明は、洗浄、清掃、研削、塗布等に使用される各種加工ブラシに用いられるブラシ用毛材において、前記ブラシ用毛材は、長尺の繊維束を蛇行状に折曲させて仮止め糸により帯状に連ねた帯板状体を有し、該帯板状体の長手方向には１本又は複数本の芯線が挟み込まれて保持されていることに特徴を有する。したがって、芯線が予めブラシ用毛材に挟み込まれていることから、各種加工ブラシの製造工程においてブラシ用毛材に芯線を挟み付ける工程を必要としない。
【手続補正３】
【補正対象書類名】明細書
【補正対象項目名】０００７
【補正方法】変更
【補正の内容】
【０００７】
請求項２の発明は、請求項１の発明において、芯線は帯板状体の短手方向の略中央部に仮止め糸によって保持されていることに特徴を有する。したがって、芯線の両側の帯板状体を折り曲げることによって容易にチャンネルブラシを製造することができる。
【手続補正４】
【補正対象書類名】明細書
【補正対象項目名】０００８
【補正方法】変更
【補正の内容】
【０００８】
請求項３の発明は、請求項１又は２の発明において、芯線は帯板状体の短手方向の端部に仮止め糸によって保持されていることに特徴を有する。したがって、芯線が保持されている端部をコ字状の帯状体で挟みつけ、他方の端部の長手方向を切断することによって容易にチャンネルブラシを製造することができる。
【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
固定枠に対し左右一側部にて開閉可能に支持され、前記固定枠の前面側を覆う扉体と、
前記固定枠に対し左右他側部にて前記扉体を施錠する施錠装置とを備えた遊技機であって、
前記施錠装置は、
前記扉体の背面側において前記左右他側部に沿って設けられ、
鍵により操作される錠部材と、
左右方向のうち前記他側部側に向け突出し、前記固定枠の左右他側部の内側面に設けられた被係止部に対し係止されて前記扉体の開放を規制する係止位置と、左右方向のうち前記一側部側へ退き、前記被係止部から離脱して前記扉体の開放を許容する非係止位置とに、前記錠部材の動作に連動して変位する係止部材とを備えたことを特徴とする遊技機。
【請求項２】
固定枠に対し左右一側部にて開閉可能に支持され、前記固定枠の前面側を覆う扉体と、
前記固定枠に対し左右他側部にて前記扉体を施錠する施錠装置とを備えた遊技機であって、
前記施錠装置は、
前記扉体の背面側において前記左右他側部に沿って設けられ、
鍵により操作される錠部材と、
前記錠部材の動作に連動して上下方向に摺動可能な摺動部材と、
左右方向のうち前記他側部側に向け突出し、前記固定枠の左右他側部の内側面に設けられた第１被係止部に対し係止されて前記扉体の開放を規制する係止位置と、左右方向のうち前記一側部側へ退き、前記第１被係止部から離脱して前記扉体の開放を許容する非係止位置とに、前記摺動部材の動作に連動して変位する第１係止部材と、
前記固定枠の左右他側部の内側面から左右方向に沿って延び出した第２被係止部に対し係止されて前記扉体の開放を規制する係止位置と、前記第２被係止部から離脱して前記扉体の開放を許容する非係止位置とに、前記摺動部材の動作に連動して変位する第２係止部材とを備えたことを特徴とする遊技機。
【請求項３】
前記第１係止部材は、前後方向を軸心として回動変位可能に設けられ、
前記第２係止部材は、上下方向に摺動変位可能、又は、左右方向を軸心として回動変位可能に設けられていることを特徴とする請求項２に記載の遊技機。
【請求項４】
前記扉体の開状態において、前記第１係止部材が前記係止位置にある場合には、当該第１係止部材が前記固定枠に接触可能な位置となって前記扉体の閉鎖が規制され、前記第１係止部材が前記非係止位置にある場合には、当該第１係止部材が前記固定枠に接触不能な位置となって前記扉体の閉鎖が許容されることを特徴とする請求項２又は３に記載の遊技機。
【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
固定枠に対し左右一側部にて開閉可能に支持された扉体と、
前記固定枠に対し左右他側部にて前記扉体を施錠する施錠装置とを備えた遊技機であって、
前記施錠装置は、
前記扉体の背面側において前記左右他側部に沿って設けられ、
鍵により操作される錠部材と、
前記錠部材の動作に連動して、前記固定枠の内側に設けられた被係止部に対し係止されて前記扉体の開放を規制する係止位置と、前記被係止部から離脱して前記扉体の開放を許容する非係止位置とに変位する鉤部材とを備え、
前記錠部材に鍵の挿入がない場合には、当該錠部材が動作せず、前記鉤部材が変位不能となる構成であって、
少なくとも第１位置と第２位置とに変位可能に設けられた保護部材を備え、
少なくとも前記扉体の開状態において、前記保護部材が前記第１位置にある場合には、当該保護部材が前記固定枠に接触可能な位置となって前記扉体の閉鎖が規制され、前記保護部材が前記第２位置にある場合には、当該保護部材が前記固定枠に接触不能な位置となって前記扉体の閉鎖が許容されることを特徴とする遊技機。
【請求項２】
前記保護部材は、
前記錠部材の動作に連動して変位可能に設けられ、
前記鉤部材が前記係止位置に位置する場合には、前記第１位置に位置し、
前記鉤部材が前記非係止位置に位置する場合には、前記第２位置に位置することを特徴とする請求項１に記載の遊技機。
【請求項３】
前記保護部材を前記第１位置側へ付勢する付勢手段を備えていることを特徴とする請求項１又は２に記載の遊技機。
【請求項４】
前記保護部材は、弾性材料により形成されていることを特徴とする請求項１乃至３のいずれかに記載の遊技機。
【手続補正書】
【提出日】平成21年5月25日(2009.5.25)
【手続補正１】
【補正対象書類名】明細書
【補正対象項目名】０００２
【補正方法】変更
【補正の内容】
【０００２】
従来、被訓練者の右足用・左足用に分離された環状ベルトを有し、左右の環状ベルトが別々に設定された速度で駆動され、片足麻痺の患者でも環状ベルトの速度に歩調を合わせ立位での歩行訓練を行うことができる歩行訓練装置が下記特許文献により提案され、特に特許文献5には、被訓練者の歩行機能及び生態情報を測定する測定手段と、歩行訓練装置による訓練の条件（例えば左右の環状ベルト毎の速度や訓練時間等の各種条件）を設定する動作条件設定手段と、前記測定手段により測定した測定結果や動作条件等を演算してグラフ化及び数値化して表示する表示手段とを備え、訓練計画に応じた訓練結果を介護士等が容易に訓練の処方判断の支援を行う技術が記載されている。
【特許文献１】特開平７−１２４２０８号公報
【特許文献２】特開２０００−２７８８５５号公報
【特許文献３】特開２００２−３０６６２８号公報
【特許文献４】特開２００２−３３６３１５号公報
【特許文献５】特開２００２−３４５９９４号公報
【特許文献６】特開平８−１４１０２５号公報
【特許文献７】特開平８−１４１０２７号公報
【特許文献８】特開平１０−０９９３９０号公報
【特許文献９】特開平１０−２４３９４９号公報
【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
シート束を接着剤塗布位置に保持するシート束保持手段と、
上記接着剤塗布位置のシート束に接着剤を塗布する塗布手段と、
上記塗布手段を備え内部に熱溶融性接着剤を収容する接着剤収納容器と、
上記接着剤収納容器に収容された接着剤を加熱溶融する加熱手段と、
上記接着剤収納容器を上記接着剤塗布位置から離間した退避位置に移動する容器移動手段と、
上記接着剤収納容器に設けられ接着剤温度を検出する温度検出手段と、
上記退避位置に位置する上記接着剤収納容器の上方に配置され、上記接着剤収納容器からの接着剤の蒸発成分を吸引する吸引手段と、
を備え、
上記吸引手段は、上記温度検出手段が検出した接着剤温度が所定温度以上のとき吸引動作を開始することを特徴とする接着剤塗布装置。
【請求項２】
前記吸引手段は、バキュームダクトと吸引ファンと、前記接着剤の蒸発成分を濾過するフィルタとから構成され、
上記バキュームダクトの吸入口は前記接着剤収納容器の退避位置の上方に配置されていることを特徴とする請求項１に記載の接着剤塗布装置。
【請求項３】
前記接着剤収納容器は前記シート束保持手段に保持されたシート束に対して移動自在に装置フレームに支持され、
前記容器移動手段は、上記接着剤収納容器を上記シート束の端縁に沿って往復移動することを特徴とする請求項１又は２に記載の接着剤塗布装置。
【請求項４】
前記容器移動手段は前記接着剤収納容器を、前記接着剤塗布位置から離間した退避位置とシート束の基端縁に隣接する待機位置とシート束の他端縁に隣接する復帰位置との間で往復移動するように制御され、
上記接着剤収納容器に備えられた前記塗布手段は上記待機位置と復帰位置との間を往復する過程で前記シート束に接着剤を塗布することを特徴とする請求項３に記載の接着剤塗布装置。
【請求項５】
前記接着剤収納容器には内部の接着剤温度を検出する温度検出手段が備えられ、
前記容器移動手段は装置起動時に接着剤を所定温度に昇温する際は上記接着剤収納容器を前記退避位置に保持することを特徴とする請求項１乃至４のいずれか１項に記載の接着剤塗布装置。
【請求項６】
前記容器移動手段は前記接着剤収納容器を前記復帰位置から前記待機位置に移動する際、上記接着剤収納容器内の接着剤温度が所定温度以上のとき前記退避位置に接着剤収納容器を移動した後、待機位置に移動することを特徴とする請求項４に記載の接着剤塗布装置。
【請求項７】
排紙口から順次搬出されるシートを束状に集積するシート集積手段と、
上記シート集積手段から所定の接着剤塗布位置にシート束を搬送するシート束搬送手段と、
上記接着剤塗布位置のシート束に接着剤を塗布する塗布手段と、
上記塗布手段を備え内部に熱溶融性接着剤を収容する接着剤収納容器と、
上記接着剤収納容器に収容された接着剤を加熱溶融する加熱手段と、
上記接着剤塗布位置に搬送されたシート束の端縁に沿って上記接着剤収納容器を移動する容器移動手段と、
上記接着剤収納容器に設けられ接着剤温度を検出する温度検出手段と、
上記退避位置に位置する上記接着剤収納容器の上方に配置され、上記接着剤収納容器からの接着剤の蒸発成分を吸引する吸引手段と、
上記接着剤塗布位置の下流側に配置され上記シート束の端縁に表紙シートを接合する表紙綴じ手段と、
を備え、
上記吸引手段は、上記温度検出手段が検出した接着剤温度が所定温度以上のとき吸引動作を開始することを特徴とする製本装置。
【手続補正書】
【提出日】平成21年8月3日(2009.8.3)
【手続補正１】
【補正対象書類名】特許請求の範囲
【補正対象項目名】全文
【補正方法】変更
【補正の内容】
【特許請求の範囲】
【請求項１】
複数のモジュールを備え、前記モジュールは、少なくとも前記モジュールを制御する電気回路と、プログラムにより制御を可変可能で前記電気回路を制御する制御回路と、を有し、前記モジュール単体で制御パラメータに基づき動作を実行可能である画像形成装置であって、
前記複数のモジュールのうち少なくとも１つは上位マネージャであり、
前記上位マネージャは、動作モード信号により前記制御パラメータを、前記上位マネージャを除くその他のモジュールに送信し、
前記その他のモジュールは、前記その他のモジュールの相互間の通信を、タイミング信号により行うことを特徴とする画像形成装置。
【請求項２】
前記タイミング信号の通信線は、前記その他のモジュールの相互間でそれぞれ専用に設けられることを特徴とする請求項１記載の画像形成装置。
【請求項３】
前記上位マネージャは、前記タイミング信号の伝送方向を制御することを特徴とする請求項１記載の画像形成装置。
【請求項４】
前記その他のモジュールの相互間の通信速度は、前記上位マネージャと前記その他のモジュールとの間の通信速度と比較して、同等または速いことを特徴とする請求項１記載の画像形成装置。
【請求項５】
前記その他のモジュールの相互間とは、印刷媒体が搬送される搬送順序に従い駆動される２つの隣接する前記モジュールの相互間であり、給紙モジュール、画像形成モジュール、搬送モジュール、定着モジュール、排紙両面コピー切り替えモジュールのうち少なくとも２つのモジュールの組み合わせ中少なくとも１組の組み合わせであることを特徴とする請求項１記載の画像形成装置。
【請求項６】
前記その他のモジュールは、隣接するモジュールとの相互間のみ前記タイミング信号による通信を行うことを特徴とする請求項１記載の画像形成装置。
【請求項７】
前記動作モード信号は、前記その他のモジュールの相互間で前記タイミング信号により規定を満たす通信が行われていることを検証する信号、及び、前記検証結果の信号を有し、前記その他のモジュールは、前記上位マネージャの命令で前記タイミング信号による通信の検証を行い、前記検証結果を前記動作モード信号により前記上位マネージャに送信することを特徴とする請求項１記載の画像形成装置。
【請求項８】
前記その他のモジュールの相互間の通信は、２本以下の信号線を用いて行うことを特徴とする請求項１記載の画像形成装置。
【請求項９】
前記その他のモジュールの相互間の通信は、アナログ電圧レベルで行うことを特徴とする請求項１記載の画像形成装置。
【請求項１０】
前記その他のモジュールの動作スタート信号は、前記上位マネージャを介さず、直接前記その他のモジュールが検知し、前記その他のモジュールの相互間で伝播され動作することを特徴とする請求項１記載の画像形成装置。
【請求項１１】
前記タイミング信号は、少なくとも他の前記モジュールの起動信号と動作開始信号とを有することを特徴とする請求項１記載の画像形成装置。
【請求項１２】
前記モジュールは、印刷媒体を検知するセンサを少なくとも１つ有し、前記センサが前記印刷媒体を検知したタイミングを基準に、前記印刷媒体が搬送される隣接するモジュールに起動信号あるいは動作開始信号を送信することを特徴とする請求項１記載の画像形成装置。
【手続補正２】
【補正対象書類名】明細書
【補正対象項目名】００１４
【補正方法】変更
【補正の内容】
【００１４】
（１）複数のモジュールを備え、前記モジュールは、少なくとも前記モジュールを制御する電気回路と、プログラムにより制御を可変可能で前記電気回路を制御する制御回路と、を有し、前記モジュール単体で制御パラメータに基づき動作を実行可能である画像形成装置であって、前記複数のモジュールのうち少なくとも１つは上位マネージャであり、前記上位マネージャは、動作モード信号（動作モードを規定する信号）により前記制御パラメータを、前記上位マネージャを除くその他のモジュールに送信し、前記その他のモジュールは、前記その他のモジュールの相互間の通信を、タイミング信号（モジュール間の動作タイミングを規定する信号）により行うことを特徴とする画像形成装置。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
シートを所定の裁断位置へ移動自在に保持するシート保持手段と、
前記裁断位置に配置されるシートと距離を隔てた待避位置と、シートの裁断が完了される切断位置との間で、前記シート保持手段の移動方向に対して略垂直に移動することによりシートを裁断する裁断刃と、
前記切断位置において、前記裁断刃と接する刃受面を有する刃受け部材と、
裁断されるシートを除電する除電部材と、
を備えることを特徴とするシート裁断装置。
【請求項２】
前記裁断位置で前記裁断刃によりシートを裁断する前にシートを前記除電部材に接触させ或いは接近させて除電するように前記シート保持手段を移動させる制御手段と、
から成ることを特徴とする請求項１に記載のシート裁断装置。
【請求項３】
前記除電部材は、前記裁断位置からシートを排出させる排出方向の下流側に前記刃受面に近接させて設けられていることを特徴とする請求項１又は２に記載のシート裁断装置。
【請求項４】
前記制御手段は、前記裁断位置で裁断されるべきシートの部位からそれに近いシートの端面までの領域を前記除電部材に接触させ或いは接近させるように前記シート保持手段を移動させることを特徴とする請求項１乃至３の何れかの項に記載のシート裁断装置。
【請求項５】
前記制御手段は、接着剤が塗布されるシート端縁と対向する側のシート端縁である小口部を前記裁断刃により裁断する前に、前記除電部材によるシートの除電を行なうことを特徴とする請求項１乃至４の何れかの項に記載のシート裁断装置。
【請求項６】
シートを所定の裁断位置へ移動自在に保持するシート保持手段と、
前記裁断位置に配置されるシートと距離を隔てた待避位置と、シートの裁断が完了される切断位置との間で、前記シート保持手段の移動方向に対して略垂直に移動することによりシートを裁断する裁断刃と、
前記切断位置において、前記裁断刃と接する刃受面を有する刃受け部材と、を備えたシート裁断装置であって、
前記裁断位置で前記裁断刃により、シートを裁断した後、前記シート保持手段によりシートを保持した状態で、前記シート保持手段で前記刃受け部材上を移動させる制御手段から成ることを特徴とするシート裁断装置。
【請求項７】
前記制御手段は、シートを直線的に動作させるように前記シート保持手段を移動させることを特徴とする請求項６に記載のシート裁断装置。
【請求項８】
前記制御手段は、シートを旋回動作させるように前記シート保持手段を移動させることを特徴とする請求項６に記載のシート裁断装置。
【請求項９】
前記制御手段は、接着剤が塗布されるシート端縁と対向する側のシート端縁である小口部を前記裁断刃により裁断した後に、前記シート保持手段の移動により、前記シート保持手段に保持されたシートによって前記刃受面に付着したシート屑を引き剥がすことを特徴とする請求項６に記載のシート裁断装置。
【請求項１０】
前記刃受け部材の前記刃受面は、前記裁断刃よりも軟質な材料によって形成されていることを特徴とする請求項１乃至９の何れかの項に記載のシート裁断装置。
【請求項１１】
複数のシートを束状に集積してシート束を形成するとともに、そのシート束に接着剤を塗布して製本化する製本装置において、
シート束の端縁に接着剤を塗布する接着剤塗布手段と、
前記接着剤塗布手段により接着剤が塗布されたシート束の端縁を裁断する請求項１乃至１０の何れかの項に記載のシート裁断装置と、
前記接着剤塗布手段により接着剤が塗布されたシート束を前記シート裁断装置へ搬送する搬送手段と、
を備えることを特徴とする製本装置。
【請求項１２】
シートに画像を形成する画像形成装置と、
画像が形成された複数のシートを前記画像形成装置から受ける請求項１１に記載の製本装置と、
を備えることを特徴とする製本システム。
【手続補正２】
【補正対象書類名】明細書
【補正対象項目名】００１１
【補正方法】変更
【補正の内容】
【００１１】
前記課題を解決するために、本発明のシート裁断装置は、シートを所定の裁断位置へ移動自在に保持するシート保持手段と、前記裁断位置に配置されるシートと距離を隔てた待避位置と、シートの裁断が完了される切断位置との間で、前記シート保持手段の移動方向に対して略垂直に移動することによりシートを裁断する裁断刃と、前記切断位置において、前記裁断刃と接する刃受面を有する刃受け部材と、裁断されるシートを除電する除電部材と、を備えることを特徴とする。
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
被清掃面に付着した塵埃等を清掃する為に使用するチャンネルブラシにおいて、前記チャンネルブラシはブラシ片と、帯状体とを有し、前記ブラシ片は前記帯状体により挟みつけられて折り込んで形成されてあると共に、前記帯状体に挟みつけられた部分よりも上方の前記ブラシ片の長手方向には溶着部が形成されてあることを特徴とするチャンネルブラシ
。
【請求項２】
被清掃面に付着した塵埃等を清掃する為に使用するチャンネルブラシにおいて、前記チャンネルブラシはブラシ片と、芯線と、帯状体とを有し、前記ブラシ片は前記芯線及び前記帯状体により挟みつけられて折り込んで形成されてあると共に、前記帯状体に挟みつけられた部分よりも上方の前記ブラシ片の長手方向には溶着部が形成されてあることを特徴とするチャンネルブラシ
。
【請求項３】
帯状体の上端部がかしめられてあることを特徴とする請求項１又は２に記載のチャンネルブラシ。
【請求項４】
溶着部は、ブラシ片の少なくとも一側面の長手方向に形成されてあることを特徴とする請求項１から３のいずれか１項に記載のチャンネルブラシ。
【請求項５】
溶着部は超音波溶着により形成されてあることを特徴とする請求項１から４のいずれか１項に記載のチャンネルブラシ。
【請求項６】
ブラシ片の少なくとも一側面に熱溶着フィルムとブラシ片とが溶着されてあることを特徴とする請求項１から５のいずれか１項に記載のチャンネルブラシ。
【手続補正２】
【補正対象書類名】明細書
【補正対象項目名】０００９
【補正方法】変更
【補正の内容】
【０００９】
請求項４の発明は、請求項１から３のいずれか１項の発明において、溶着部は、ブラシ片の少なくとも一側面の長手方向に形成されてあることに特徴を有する。したがって、ブラシ片の毛抜け及び毛倒れを防ぐことができる。
【手続補正３】
【補正対象書類名】明細書
【補正対象項目名】００１２
【補正方法】変更
【補正の内容】
【００１２】
請求項１及び２の発明では、ブラシ片に溶着部が形成されたことによって毛抜け及び毛倒れを防止することができる。また、請求項３の発明では、帯状体がかしめられることによって、ブラシ片が外れるのを防止できる。また、請求項４の発明でも、ブラシ片に溶着部が形成されたことによって毛抜け及び毛倒れを防止することができる。さらに、請求項５の発明では、超音波溶着で溶着部を形成することによって、チャンネルブラシの製造が容易となる。また、請求項６の発明では、熱溶着フィルムを使用することによって、熱溶着フィルムとブラシ片とを強固に溶着することができ、毛抜け及び毛倒れを防止することができる。
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
前面に遊技領域を有する遊技盤と、
前記遊技領域に配設され額縁状に形成された枠状装飾体と、
該枠状装飾体の外側に開口したワープ入口、及び前記枠状装飾体の内側に開口したワープ出口を有し、前記ワープ入口及び前記ワープ出口を連通するワープ通路と、
前記枠状装飾体の下縁部における上面に形成され、前記ワープ通路を通って前記枠状装飾体内に入球した遊技媒体を左右方向に転動させる転動面を備えたステージと、
前記遊技盤の後側または前記枠状装飾体の後側に組付けられた後側ユニットと、
該後側ユニットにおける前記ステージの後方位置に設けられ、前記遊技媒体が通過可能な誘導通路と、
前記ステージと一体に形成されるとともに、前記誘導通路の入口に連通するように前記転動面から後方に突設され、該転動面上で転動する遊技媒体を受入れて前記誘導通路に入球させることを可能にする入球受入部と
を具備することを特徴とする遊技機。
【請求項２】
請求項１に記載の遊技機において、
前記誘導通路は、大当り抽選の契機となる始動口装置の入賞通路であり、
該入賞通路内に配置され、該入賞通路に遊技媒体が通過したことを検出する入賞状態検出手段と、
該入賞状態検出手段による前記遊技媒体の検出に基づいて大当り抽選を行う大当り抽選手段と、
該大当り抽選手段の抽選結果が大当りの場合、遊技者にとって有利となる有利遊技状態を発生させる有利遊技状態発生手段と
をさらに備えることを特徴とする遊技機。
【請求項３】
前記ステージにおける前記転動面は、前記ステージの中央部に設けられ上方に隆起した高台部と、該高台部を左右方向から挟むように形成された２つの曲面部とを具備して構成されてなり、
前記入球受入部は、前記転動面における高台部から延出されてなる
請求項１または２に記載の遊技機。
【手続補正２】
【補正対象書類名】明細書
【補正対象項目名】０００７
【補正方法】変更
【補正の内容】
【０００７】
請求項１に記載の遊技機は、前面に遊技領域を有する遊技盤と、前記遊技領域に配設され額縁状に形成された枠状装飾体と、該枠状装飾体の外側に開口したワープ入口、及び前記枠状装飾体の内側に開口したワープ出口を有し、前記ワープ入口及び前記ワープ出口を連通するワープ通路と、前記枠状装飾体の下縁部における上面に形成され、前記ワープ通路を通って前記枠状装飾体内に入球した遊技媒体を左右方向に転動させる転動面を備えたステージと、前記遊技盤の後側または前記枠状装飾体の後側に組付けられた後側ユニットと、該後側ユニットにおける前記ステージの後方位置に設けられ、前記遊技媒体が通過可能な誘導通路と、前記ステージと一体に形成されるとともに、前記誘導通路の入口に連通するように前記転動面から後方に突設され、該転動面上で転動する遊技媒体を受入れて前記誘導通路に入球させることを可能にする入球受入部とを具備することを要旨とする。
請求項２に記載の遊技機は、請求項１に記載の遊技機において、前記誘導通路は、大当り抽選の契機となる始動口装置の入賞通路であり、該入賞通路内に配置され、該入賞通路に遊技媒体が通過したことを検出する入賞状態検出手段と、該入賞状態検出手段による前記遊技媒体の検出に基づいて大当り抽選を行う大当り抽選手段と、該大当り抽選手段の抽選結果が大当りの場合、遊技者にとって有利となる有利遊技状態を発生させる有利遊技状態発生手段とをさらに備えることを要旨とする。
請求項３に記載の遊技機は、請求項１または２に記載の遊技機において、前記ステージにおける前記転動面は、前記ステージの中央部に設けられ上方に隆起した高台部と、該高台部を左右方向から挟むように形成された２つの曲面部とを具備して構成されてなり、前記入球受入部は、前記転動面における高台部から延出されてなることを要旨とする。
【手続補正３】
【補正対象書類名】明細書
【補正対象項目名】０００８
【補正方法】変更
【補正の内容】
【０００８】
手段１：「前面に遊技領域を有する遊技盤と、
前記遊技領域に配設され額縁状に形成された枠状装飾体と、
該枠状装飾体の外側に開口したワープ入口、及び前記枠状装飾体の内側に開口したワープ出口を有し、前記ワープ入口及び前記ワープ出口を連通するワープ通路と、
前記枠状装飾体の下縁部における上面に形成され、前記ワープ通路を通って前記枠状装飾体内に入球した遊技媒体を左右方向に転動させる転動面を備えたステージと、
前記遊技盤の後側または前記枠状装飾体の後側に組付けられた後側ユニットと、
該後側ユニットにおける前記ステージの後方位置に設けられ、前記遊技媒体が通過可能な誘導通路と、
前記ステージと一体に形成されるとともに、前記誘導通路の入口に連通するように前記転動面から後方に突設され、該転動面上で転動する遊技媒体を受入れて前記誘導通路に入球させることを可能にする入球受入部と
を具備する」ことを特徴とする遊技機。
ここで、「枠状装飾体」としては、遊技領域の略中央に配設されたセンター役物を例示することができるが、ステージを有する額縁状（枠状）の装飾体であれば特に限定されるものではない。また、そのステージは、複数の転動面を前後方向に複数配置したものや、左右方向に分割して配置したものであっても良い。「ワープ通路」は一つであってもよく複数であってもよい。なお、複数の転動面を前後方向に配置したものにおいては、それぞれの転動面に対して別々のワープ通路を備えるようにしてもよい。
【手続補正書】
【提出日】平成21年8月4日(2009.8.4)
【手続補正１】
【補正対象書類名】特許請求の範囲
【補正対象項目名】請求項３
【補正方法】変更
【補正の内容】
【請求項３】
前記支柱は、断面Ｌ字形の主体部の両側縁に内方に順次直角に折曲された第１、第２及
び第３の折曲縁からなる内巻き部を有し、これらの両内巻き部間にスリット状の前記開口
部が形成されたものとなされる一方、
該支柱の中空部内に装入された雌ねじ片は、横断面略Ｌ字状ないしく字状で、前記内巻
き部によって開口部からの脱出が阻止されたものとなされている請求項２に記載の金属製
組立棚。
【手続補正２】
【補正対象書類名】明細書
【補正対象項目名】００２２
【補正方法】変更
【補正の内容】
【００２２】
［３］前記支柱は、断面Ｌ字形の主体部の両側縁に内方に順次直角に折曲された第１、
第２及び第３の折曲縁からなる内巻き部を有し、これらの両内巻き部間にスリット状の前
記開口部が形成されたものとなされる一方、
該支柱の中空部内に装入された雌ねじ片は、横断面略Ｌ字状ないしく字状で、前記内巻
き部によって開口部からの脱出が阻止されたものとなされている前記［２］に記載の金属
製組立棚。
【手続補正３】
【補正対象書類名】明細書
【補正対象項目名】００２３
【補正方法】削除
【補正の内容】
【手続補正書】
【提出日】平成20年12月24日(2008.12.24)
【手続補正１】
【補正対象書類名】明細書
【補正対象項目名】００２４
【補正方法】変更
【補正の内容】
【００２４】
更にレッグ開口部６に配されている弾性部材６１ａ，６１ｂに関しては、その最も股下部寄りに位置する部位が実質的に伸縮性を有しないようにすることで、股下部において吸収性本体１０の幅が狭くなることが防止されて、液漏れが防止される。当該部位は、弾性部材６１ａ，６１ｂのうち、少なくとも吸収性本体１０と重なり合う部位を含んでいることが好ましい。弾性部材６１ａ，６１ｂが実質的に伸縮性を有しないようにするためには、例えば外層シート１２及び内層シート１３に伸長状態で挟持固定された弾性部材６１ａ，６１ｂのうち、吸収性本体１０と重なり合う部位を、多数の切断部によって切断することにより、当該部位において伸縮性が発現しないようにすればよい。
【手続補正２】
【補正対象書類名】明細書
【補正対象項目名】００２５
【補正方法】変更
【補正の内容】
【００２５】
上述の効果を一層顕著なものとする観点から、レッグ部弾性部材６１ａ，６１ｂのうち、最も股下部寄りに位置する、実質的に伸縮性を有していない部位の幅Ｗ３（図２参照）を、腹側外包材１１Ａ及び背側外包材１１Ｂと吸収性本体１０とが接合している接合部の幅（後述する本体接合部１５の幅Ｗ２、図４参照）と等しく設定するか、又はそれよりも大きく設定することが好ましい。
【手続補正書】
【提出日】平成21年2月27日(2009.2.27)
【手続補正１】
【補正対象書類名】特許請求の範囲
【補正対象項目名】全文
【補正方法】変更
【補正の内容】
【特許請求の範囲】
【請求項１】
スクリーンマスク上に形成された２箇所以上の任意パターン開口部を位置決め目標とし、基板表面の２箇所以上の任意パターンを使用し、画像処理に基づいて前記基板をスクリーンマスクに位置合わせし、基板面上にスクリーンマスクを介してペーストを塗布するスクリーン印刷装置において、
スクリーンマスク上に形成された前記パターン開口部の一部又は全てからなる第３のパターンおよび基板表面の任意パターンの一部又は全てからなる第１のパターンを各々検出する第１の手段と、前記第１又は第３のパターン各々に対する最終位置決め目標である第２及び第４のパターン各々の重心を各々検出する第２の手段と、前記第１及び第２の手段で検出された第１及び第３のパターン各々のウインドウ中心と上記第２の手段で検出された第２及び第４のパターン各々の重心との偏差を画像計測により演算する演算手段と、前記演算手段の演算結果に基づいてＸＹθテーブル各軸に対する補正係数を算出し登録する補正手段とを備え、生産運転中において第１及び第２の手段により第１〜第４のパターンの中心点を検出後、ＸＹθテーブル位置合わせ量演算を実施する際に、前記補正手段により登録された補正値を加算し、ＸＹθテーブルの各軸の移動量を算出し位置決めする位置決め手段を備えたことを特徴としたスクリーン印刷装置。
【請求項２】
スクリーンマスク上に形成された２箇所以上に設けたパターン開口部を位置決め目標とし、基板表面の２箇所以上の任意パターンを使用し、画像処理に基づいて前記基板をスクリーンマスクに位置合わせし、基板面上にスクリーンマスクを介してペーストを塗布するスクリーン印刷装置における画像認識位置合わせ方法において、
位置決め目標位置及び被位置決め目標位置をＨ型図形モデルによるパターン形状マッチングにて検出し、位置合わせすることを特徴とした画像認識位置合わせ方法。
【手続補正書】
【提出日】平成21年7月3日(2009.7.3)
【手続補正１】
【補正対象書類名】特許請求の範囲
【補正対象項目名】全文
【補正方法】変更
【補正の内容】
【特許請求の範囲】
【請求項１】
モータと、該モータを収容するハウジングと、前記モータ先端に着脱可能な先端工具と、前記ハウジング下部に設けられ、前記ハウジングを保持し、中央に前記先端工具が通過する穴部を有するベースとを有する携帯用ルータであって、
前記ベースに、該ベース底面から突出可能な突出部材と、該突出部材を突出方向に付勢する付勢手段を設けたことを特徴とする携帯用ルータ。
【請求項２】
前記突出部材は前記ベースに回動可能に設けられていることを特徴とする請求項１あるいは請求項１記載の携帯用ルータ。
【請求項３】
前記突出部材の端部は曲面で形成されていることを特徴とする請求項１あるいは請求項２記載の携帯用ルータ。
【請求項４】
前記ベースは、該ベース下部に着脱可能なサブベースを有し、前記サブベースを取付けることにより、前記突出部材の突出方向の最大回動位置が規制されることを特徴とする請求項３記載の携帯用ルータ。